(57)【要約】【課題】  簡単な構造でありながら、前面部における隙間形成を確実に阻止することができる洗面化粧台を提供することにある。【解決手段】  洗面ボウル（７）が設けられたカウンター（２）があって、このカウンター（２）の下方に位置するキャビネット（１）の上部に前方へ膨出するボウルカバー（５）が取り付けられ、このボウルカバー（５）の上端部へガイドされるリブ（３）を上記カウンター（２）に設けた。また、上記カウンター（２）の手前側端部に下方へ垂下する垂下片（８）が形成されており、この垂下片（８）が上記リブ（３）を覆い隠しているものであってもかまわない。【選択図】  図１
2005080880.tif 000002
【特許請求の範囲】
【請求項１】
洗面ボウルが設けられたカウンターがあって、このカウンターの下方に位置するキャビネットの上部に前方へ膨出するボウルカバーが取り付けられ、このボウルカバーの上端部へガイドされるリブを上記カウンターに設けたことを特徴とする洗面化粧台。
【請求項２】
上記カウンターの手前側端部に下方へ垂下する垂下片が形成されており、この垂下片が上記リブを覆い隠していることを特徴とする請求項１記載の洗面化粧台。
【請求項３】
上記リブが、上記ボウルカバーに当接するようになしたことを特徴とする請求項１または請求項２記載の洗面化粧台。
【発明の詳細な説明】
【技術分野】
【０００１】
本発明は、洗面化粧台に関するものであり、具体的には、キャビネットの上部に設置されて手洗いや洗顔などに使用される洗面ボウルを有している洗面化粧台に関するものである。
【背景技術】
【０００２】
従来の洗面化粧台としては、例えば、図５に示すごとく、キャビネット（１）の前面上部に幕前板（４）が取り付けられるようになったものであり、一般的にボウルカバー（５）が取り付けられた幕前板（４）をキャビネット（１）の前面上部に取り付けて、上記キャビネット（１）上に洗面ボウル（７）を有しているカウンター（２）を設置することで構成していたものであった。
【０００３】
しかしながら、このような従来の洗面化粧台にあっては、各部材の寸法誤差や各部材の取り付け誤差などによって、同図５に示されるようにカウンター（２）とボウルカバー（５）との間やカウンター（２）とキャビネット（１）との間などに隙間（１０）が発生し、カウンター（２）とキャビネット（１）とが前後にずれたり、また、キャビネット（１）を前方から見た場合にこの隙間（１０）が見えることとなって、見栄えとしては良くないという問題があった。
【０００４】
一方、下記の特許文献１に示された特開平９−４７３７０号公報のようなものも考えられていた。具体的には、図６に示すごとく、洗面ボウル（７）を有しているカウンター（２）において、手前側を湾曲形成されたボウルエプロン部（１５）がキャビネット（１）の前面部よりも前方に突出するように同キャビネット（１）の上部に取り付けられるようになっており、上記ボウルエプロン部（１５）の下縁部を上記キャビネット（１）の開閉扉（９）の上辺よりもやや上部まで延設していたものであった。
【特許文献１】特開平９−４７３７０号公報
【発明の開示】
【発明が解決しようとする課題】
【０００５】
しかしながら、上述した特許文献１の場合であると、ボウルエプロン部（１５）の存在により、キャビネット（１）の上端部を確実に隠蔽することができて、前面部における隙間形成を阻止しているものの、同ボウルエプロン部（１５）が湾曲形成された形状であるために、このボウルエプロン部（１５）を手前側に有しているカウンター（２）としては、前方の構造が非常に複雑なものとなり、しかも、カウンター（２）が大型化するような問題があったものである。
【０００６】
本発明は、上述の事実に鑑みてなされたものであって、その目的とするところは、簡単な構造でありながら、前面部における隙間形成を確実に阻止することができる洗面化粧台を提供することにある。
【課題を解決するための手段】
【０００７】
上記課題を解決するために、本発明においてはつぎのような技術的手段を講じている。すなわち、本発明の請求項１に係る洗面化粧台は、洗面ボウル（７）が設けられたカウンター（２）があって、このカウンター（２）の下方に位置するキャビネット（１）の上部に前方へ膨出するボウルカバー（５）が取り付けられ、このボウルカバー（５）の上端部へガイドされるリブ（３）を上記カウンター（２）に設けたことを特徴としている。
【０００８】
また、本発明の請求項２に係る洗面化粧台は、上記カウンター（２）の手前側端部に下方へ垂下する垂下片（８）が形成されており、この垂下片（８）が上記リブ（３）を覆い隠していることを特徴としている。
【０００９】
さらに、本発明の請求項３に係る洗面化粧台は、上記リブ（３）が、上記ボウルカバー（５）に当接するようになしたことを特徴としている。
【発明の効果】
【００１０】
本発明の洗面化粧台によると、洗面ボウル（７）を有しているカウンター（２）にボウルカバー（５）の上端部へガイドされるリブ（３）を設けているために、このリブ（３）により、このカウンター（２）の下方に位置して前方へ膨出するボウルカバー（５）に対して、リブ（３）がガイドされるようにしてカウンター（２）の端部が誘い込まれて取り付けられるものであり、キャビネット（１）に対してのカウンター（２）の位置合わせ作業が容易なものとなって、簡単な構造でありながら、カウンター（２）とキャビネット（１）とが前後にずれたりすることはなくなるものである。よって、カウンター（２）とボウルカバー（５）との間やカウンター（２）とキャビネット（１）との間などに隙間が発生することは確実になくなって、前面部における隙間形成を確実に阻止することができるものである。しかも、前方からキャビネット（１）を見ても全く隙間はないために、結果として、外観上での見栄えとしても非常に良くなるものである。
【００１１】
このようなことから、本発明は、簡単な構造でありながら、前面部における隙間形成を確実に阻止することができるものである。
【発明を実施するための最良の形態】
【００１２】
以下、この発明を実施するための最良の形態について、図面を参照しながら詳細に説明する。
【００１３】
図１は、本発明の一実施形態に係る洗面化粧台を示した断面図である。図２は、図１の洗面化粧台を分解した断面図である。図３は、本発明の洗面化粧台に用いられる一実施形態に係るカウンターを裏面側から見た平面図である。図４は、本発明の洗面化粧台に用いられる一実施形態に係るカウンターの手前側部分のみを示した断面図である。
【００１４】
本発明の洗面化粧台は、図１ないし図４に示すごとく、洗面ボウル（７）が設けられたカウンター（２）があって、このカウンター（２）の下方に位置するキャビネット（１）の上部に前方へ膨出するボウルカバー（５）が取り付けられ、このボウルカバー（５）の上端部へガイドされるリブ（３）を上記カウンター（２）に設けているものである。
【００１５】
上記カウンター（２）は、図１ないし図３に示すごとく、その上面側で下方へ窪ませて洗面ボウル（７）が設けられているものである。そして、この洗面ボウル（７）の底面には、溜められた水を排出する排水穴（６）が形成されているものである。このカウンター（２）および洗面ボウル（７）は、例えば、ステンレスなどの金属製のものであってもかまわないし、強化プラスチック、アクリル系やポリエステル系の人造大理石などのような樹脂製のものであってもかまわないものである。
【００１６】
上記カウンター（２）は、上記キャビネット（１）の上端に配置されるものであるが、例えば、図１および図２に示すごとく、同キャビネット（１）の前面上部に幕前板（４）が取り付けられるようになっていてもかまわないものである。そして、この幕前板（４）の上端に上記カウンター（２）が配置されるようになっていてもかまわないものである。
【００１７】
上記キャビネット（１）は、図１および図２に示すごとく、その手前側に前方へ開閉自在な開閉扉（９）を設けているものである。この開閉扉（９）は、一対の２枚扉になっていてもかまわないし、単に１枚扉として形成されていてもかまわないものである。このキャビネット（１）内は、棚が設けられていても設けられていなくてもどちらでもかまわないものである。通常、このキャビネット（１）内には、石鹸や洗剤、シャンプーや洗面具などのものを自由自在に納めているものである。
【００１８】
上記ボウルカバー（５）は、図１および図２に示すごとく、上記キャビネット（１）の上部において前方へ膨出しているものである。このボウルカバー（５）は、上記カウンター（２）の下方に位置しているものである。このボウルカバー（５）としては、上記カウンター（２）および上記洗面ボウル（７）と同様の材質のもので形成されていてもかまわないし、それ以外の他の材質のもので形成されてもかまわないものである。
【００１９】
上記リブ（３）は、図１および図２に示すごとく、上記ボウルカバー（５）の上端部へガイドさせるものであって、上記カウンター（２）に設けられているものである。具体的には、このリブ（３）は、図３に示すごとき上記洗面ボウル（７）の手前側で前後方向に１本ないし複数本設けられているものであり、同図においては３本形成されているものである。このリブ（３）の断面形状としては、図４に示すごときフィン状に形成されているものである。そして、このようなリブ（３）の断面形状の端部に沿ってカウンター（２）がボウルカバー（５）に対してガイドされるようにして誘い込まれて取り付けられるものである。
【００２０】
本発明は、このような構成をとることによって、洗面ボウル（７）を有しているカウンター（２）にボウルカバー（５）の上端部へガイドされるリブ（３）を設けているために、このリブ（３）により、このカウンター（２）の下方に位置して前方へ膨出するボウルカバー（５）に対して、リブ（３）がガイドされるようにしてカウンター（２）の端部が誘い込まれて取り付けられるものであり、キャビネット（１）に対してのカウンター（２）の位置合わせ作業が容易なものとなって、簡単な構造でありながら、カウンター（２）とキャビネット（１）とが前後にずれたりすることはなくなるものである。よって、カウンター（２）とボウルカバー（５）との間やカウンター（２）とキャビネット（１）との間などに隙間が発生することは確実になくなって、前面部における隙間形成を確実に阻止することができるものである。しかも、前方からキャビネット（１）を見ても全く隙間はないために、結果として、外観上での見栄えとしても非常に良くなるものである。
【００２１】
このようなことから、本発明は、簡単な構造でありながら、前面部における隙間形成を確実に阻止することができるものである。
【００２２】
また、図１に示すごとく、上記カウンター（２）の手前側端部に下方へ垂下する垂下片（８）が形成されており、この垂下片（８）が上記リブ（３）を覆い隠しているものであると、このようなカウンター（２）の手前側端部に下方へ垂下する垂下片（８）により、前方からキャビネット（１）を見ても全くリブ（３）が目立たないものとなり、よって、外観上での見栄えとしては非常に良くなるものである。
【００２３】
なお、上記垂下片（８）としては、上記カウンター（２）の手前側端部に単に下方へ垂下しているだけのものであってもかまわないが、例えば、図４に示すごとく、下方へ垂下するとともに折れ曲がった形状になっているものであってもかまわないものである。
【００２４】
さらに、図１に示すごとく、上記リブ（３）が、上記ボウルカバー（５）に当接するようになしているものであると、キャビネット（１）に対してカウンター（２）が取り付けられた後に、このようにボウルカバー（５）にリブ（３）が当接していることで、カウンター（２）とキャビネット（１）との間には隙間は全くできないものである。しかも、このような当接によって、ボウルカバー（５）に力が加わってもへこむことはなく、質感としても良いものとなる。
【図面の簡単な説明】
【００２５】
【図１】本発明の一実施形態に係る洗面化粧台を示した断面図である。
【図２】図１の洗面化粧台を分解した断面図である。
【図３】本発明の洗面化粧台に用いられる一実施形態に係るカウンターを裏面側から見た平面図である。
【図４】本発明の洗面化粧台に用いられる一実施形態に係るカウンターの手前側部分のみを示した断面図である。
【図５】一従来例に係る洗面化粧台を示した断面図である。
【図６】他の一従来例に係る洗面化粧台を示した斜視図である。
【符号の説明】
【００２６】
１    キャビネット
２    カウンター
３    リブ
５    ボウルカバー
７    洗面ボウル
８    垂下片
【図１】
2005080880.tif 000003
【図２】
2005080880.tif 000004
【図３】
2005080880.tif 000005
【図４】
2005080880.tif 000006
【図５】
2005080880.tif 000007
【図６】
2005080880.tif 000008